(57)【要約】      （修正有）【課題】撮影用レンズ部がカメラ前面に設けられているデジタルカメラまたは銀塩フィルムカメラを用いて自分自身を撮影するときに、少なくとも自分自身が撮影画面内に正しく入っていることを予め確認して撮影できる自己撮影用ミラーの提供。【解決手段】自己撮影用ミラー１は、撮影用レンズ部６０のレンズに干渉しないように着脱自在に設けられる枠体６と、枠体６の一部において開閉可能に軸支されるとともに閉位置で撮影用レンズ部６０を覆い、開位置でカメラ前面２ａと平行な位置に移動される蓋部材７と、この蓋部材の裏面側に固定されるとともに略腕の長さの距離で顔から上半身付近までを映す直径２ｃｍ以下の凸面鏡４とを備える。【選択図】図２
2005275080.tif 000002
【特許請求の範囲】
【請求項１】
撮影用レンズ部のレンズに干渉しないように着脱自在に設けられる枠体と、
前記枠体の一部において開閉可能に軸支されるとともに閉位置で前記撮影用レンズ部を覆い、開位置で前記撮影用レンズ部を設けたカメラ前面と平行な位置に移動される蓋部材と、
前記蓋部材の裏面側に固定されるとともに略腕の長さの距離で顔から上半身付近までを映す直径２ｃｍ以下の凸面鏡、とを備えることを特徴とする自己撮影用ミラー。
【請求項２】
前記枠体の前記カメラ前面に対向する面上に、水洗で粘着力が繰り返し復活する特殊粘着樹脂層を敷設したことを特徴とする請求項１に記載の自己撮影用ミラー。
【請求項３】
撮影用レンズ部を設けたカメラ前面と、前記カメラ前面の裏面側のカメラ後面を所定の挟持力で挟持することで着脱自在に設けられるクリップの外面に、略腕の長さの距離で顔から上半身付近までを映す直径２ｃｍ以下の凸面鏡を固定したことを特徴とする自己撮影用ミラー。
【請求項４】
前記クリップの挟持面において滑り止め防止部材を敷設したことを特徴とする請求項３に記載の自己撮影用ミラー。
【発明の詳細な説明】
【技術分野】
【０００１】
本発明は、カメラを保持した自分自身を少なくとも撮影するために、腕の長さでカメラを保持し、撮影用レンズ部に向き合い、シャッター操作を行うことで撮影するときに、顔から上半身付近までが撮影画面内に入るようにする自己撮影用ミラーに関する。
【背景技術】
【０００２】
近年のカメラは銀塩フィルムカメラからデジタルカメラに移行しており、その便利さのためにカメラの主流になりつつある。このデジタルカメラによれば撮影用レンズ部を有するカメラ前面と、液晶表示部を配置したカメラ後面と、シャッターを配置したカメラ上面を露出できれば撮影を行うことができる。
【０００３】
また、ＣＣＤ受光素子を設けた撮影用レンズ部を配設した撮像部分をカメラ本体の側面に対して回動自在に設け、撮像部分を１８０度の角度分回動してカメラ後面に配置された液晶表示部を見える状態でカメラを保持し、自分自身を撮影可能にしたタイプのデジタルカメラの機種も知られている。
【０００４】
さらに、カメラ機能付き携帯電話の一部機種によれば、腕の長さで保持し撮影用レンズ部に向き合ったときに、顔から上半身付近までを映すようにした凸状鏡面体を一体的に備えたものがある。
【０００５】
一方、撮影レンズを保護する部材を設け、この部材を移動させることにより撮影レンズをカメラ本体内に沈胴させて収納し、バッグなどに入れるときに嵩張らずかつレンズを保護することのできるレンズ付きフィルムカメラも提案されている。（特許文献１）
また、撮影レンズを保護するレンズカバーを開閉自在に設けこのレンズカバーに被写体の像を映す凸面鏡を設けた電子カメラについても提案されている。（特許文献２）
【特許文献１】特開平１１−０８４４６７号公報。
【特許文献２】特開２００３−３４４９０５号公報。
【発明の開示】
【発明が解決しようとする課題】
【０００６】
近年の小型デジタルカメラは、上記の特許文献１に記載されるように撮影レンズを保護するカバーがカメラに内蔵される構成が多くあり、撮影レンズを保護する部材を移動させることで撮影用レンズ部が自動的にカメラ前面から本体内に沈胴されて収納できる。このため大変に便利なことから、このタイプのカメラが主流になりつつある。また、固定焦点レンズ式のデジタルカメラまたは銀塩フィルムカメラにおいても撮影用レンズ部はカメラ前面に固定されている。
【０００７】
一方、このように撮影用レンズ部がカメラ前面に固定されているデジタルカメラまたは銀塩フィルムカメラを用いて自分自身または仲間とともに自分を撮影するためには、三脚にカメラを固定し、液晶表示部またはファインダーを見て自分自身または仲間が撮影画面内に正しく入っていることを確認した後に、自動シャッター機能を用いて撮影するしか方法がない。あるいは仲間の１人に頼む方法もあるが、これでは仲間が１人抜けてしまうので、三脚を使用せずに全員を撮影するためには他人に頼むしかないことから、上記の特許文献２に記載のような電子カメラは便利となる。
【０００８】
また、レンズキャップはレンズ面保護のために未使用時に装着することが望ましいが、固定焦点レンズ式のデジタルカメラまたは銀塩フィルムカメラにおいてレンズキャップを別部材として設ける機種によれば、未使用時にレンズキャップを被せることを忘れる場合がある。
【０００９】
したがって、本発明は上記の問題点に鑑みて成されたものであり、請求項１の発明によれば撮影用レンズ部がカメラ前面に設けられているデジタルカメラまたは銀塩フィルムカメラを用いて自分自身を撮影するときに、少なくとも自分自身が撮影画面内に入っていることを予め確認してから撮影でき、かつレンズキャップを被せることを忘れることのない自己撮影用ミラーの提供を目的としている。
【００１０】
また、請求項３の発明によれば撮影用レンズ部がカメラ前面に設けられているデジタルカメラまたは銀塩フィルムカメラを用いて自分自身を撮影するときに、少なくとも自分自身が撮影画面内に入っていることを予め確認してから撮影するときに簡単に装着することのできる自己撮影用ミラーの提供を目的としている。
【課題を解決するための手段】
【００１１】
上述した課題を解決し、目的を達成するために、本発明の自己撮影用ミラーによれば、撮影用レンズ部のレンズに干渉しないように着脱自在に設けられる枠体と、前記枠体の一部において開閉可能に軸支されるとともに閉位置で前記撮影用レンズ部を覆い、開位置で前記撮影用レンズ部を設けたカメラ前面と平行な位置に移動される蓋部材と、前記蓋部材の裏面側に固定されるとともに略腕の長さの距離で顔から上半身付近までを映す直径２ｃｍ以下の凸面鏡とを備えることを特徴としている。
【００１２】
また、前記枠体の前記カメラ前面に対向する面上に、水洗で粘着力が繰り返し復活する特殊粘着樹脂層を敷設したことを特徴としている。
【００１３】
また、本発明の自己撮影用ミラーによれば、撮影用レンズ部を設けたカメラ前面と、前記カメラ前面の裏面側のカメラ後面を所定の挟持力で挟持することで着脱自在に設けられるクリップの外面に、略腕の長さの距離で顔から上半身付近までを映す直径２ｃｍ以下の凸面鏡を固定したことを特徴としている。
【００１４】
そして、前記クリップの挟持面において滑り止め防止部材を敷設したことを特徴としている。
【発明の効果】
【００１５】
本発明の自己撮影用ミラーによれば、撮影用レンズ部がカメラ前面に設けられているデジタルカメラまたは銀塩フィルムカメラを用いて自分自身を撮影するときに、少なくとも自分自身が撮影画面内に入っていることを予め確認してから撮影できる。
【発明を実施するための最良の形態】
【００１６】
以下に本発明の好適な一実施形態について、添付図面を参照して説明する。
【００１７】
ここで、以下の実施形態ではカメラとして撮影用レンズ部を有するカメラ前面と液晶表示部を配置したカメラ後面と、シャッターを配置したカメラ上面とを備え、望ましくは撮影レンズが３倍光学ズームの場合には沈胴するタイプ、または固定焦点レンズを備えた小型偏平の箱型のデジタルカメラに使用される自己撮影用ミラーについて主に述べる。
【００１８】
無論これらの機種に限定されず各種形状のデジタルカメラにも使用でき、さらに後述するように多少面倒な操作になるが銀塩フィルムカメラを用いて自分自身を撮影する場合にも使用できる。
【００１９】
先ず、図１(ａ)は、デジタルカメラ２をカメラ前面側から見た外観斜視図であり、(ｂ)はデジタルカメラ２をカメラ後面２ｂ側から見た図である。
【００２０】
本図において、このデジタルカメラ２は固定焦点の撮影用レンズ部６０を図示のように右角部分に設けた形状部２ｋを有しており、デザイン的に特徴のあるデジタルカメラ２となっている。このデジタルカメラ２はカメラ前面２ａと、図示のような大型の液晶表示部４０と操作ダイヤル７０とを備えたカメラ後面２ｂと、シャッター５０を設けたカメラ上面２ｃと、カメラ左右面２ｅ、２ｆとを夫々設けた偏平箱状に形成されている。このため携帯性がきわめて良好になっている。また、撮影用レンズ部６０は、図示のような円筒状の外周面６０ｆを設けるようにカメラ前面２ａから突出形成されており、必要となる焦点距離分を確保している。
【００２１】
また、撮影用レンズ部６０の左側のカメラ前面２ａにはファインダー窓６１とストロボ６２とが配置されている。このように構成されるデジタルカメラ２を使用して室内で撮影する場合において、室内照明器具などによる光量が依然として不足するとファイダー内に露出アンダーの表示がされ、シャッター５０の押圧動作と同期してストロボ６２が自動発光して、被写体全体の照明を行うように構成されている。このストロボの発光が不要なときには、発光を解除する機能も備えている。
【００２２】
さらに、カメラ左面２ｅとカメラ後面２ｂの角部にはストラップ９９を保持するためのフック部７１が形成されている。このデジタルカメラ２は、カメラ底面２ｄの略中央に破線図示の固定用ねじ穴４９を設けており、このカメラ底面２ｄの奥行き寸法は非常に小さいので自立できない場合もあることから、例えば三脚に固定するために螺合される固定用ねじを用いて固定可能にしている。
【００２３】
次に、図２(ａ)は、本発明の一実施形態である自己撮影用ミラー１の外観斜視図、(ｂ)は自己撮影用ミラー１の一部を破断して示した右側面図、(ｃ)はデジタルカメラ２の外周面６０ｆに自己撮影用ミラー１を取り付けた後に使用状態にした様子を示した外観斜視図、(ｄ)は取り付けた後に未使用状態にした様子を示した外観斜視図である。
【００２４】
先ず、図２(ａ)と(ｂ)において、凸面鏡４は略腕の長さの距離で使用者の顔から上半身付近までを映す直径２ｃｍ以下の反射ミラー面を、ガラスまたは樹脂材料から形成しアルミ蒸着して形成している。この凸面鏡４は円形の蓋部材７の裏面側７ｃに接着剤などを用いて固定される。また蓋部材７が射出成形される場合には、この蓋部材７とともに一体成形されて、必要な部分のみをミラー面とするように構成されている。
【００２５】
また、この蓋部材７の表面７ｂはこの裏面７ｃに平行に形成されとともに、係止部７ｋを図示の下方部分に図示のよううに表面７ｂから奥側に突出して一体成形している。また上方部分において図２(ａ)に図示の軸支部７ｄをさらに一体成形している。この軸支部７ｄには軸体８を挿通する不図示の横穴が穿設されており、軸体８により枠体６の下方で回動自在に軸支されるように構成されている。
【００２６】
さらに、この自己撮影用ミラー１は、撮影用レンズ部６０のレンズに干渉しないように上記の外周面６０ｆに対して着脱自在に設けられる内周面６ｂを設けた輪形状の枠体６を備えており、この枠体６の下方部分において上記の蓋部材７の軸支部７ｄを開閉可能に軸支する軸支部６ｃを形成しており軸体８を不図示の横穴に挿通し、上記の蓋部材７とともに図示のような状態に完成される。
【００２７】
この枠体６の内周面６ｂの内寸法は、撮影用レンズ部６０の外周面６０ｆの外寸法より若干大きく設定された締まりバメ程度の寸法関係とされており、軽い力で着脱できるようにしている。または、枠体６のカメラ前面２ａに対向する面上６ｈに、水洗で粘着力が繰り返し復活する特殊粘着樹脂層９０を敷設してカメラ前面２ａで保持するようにしても良く、他の保持手段を用いても良い。この特殊粘着樹脂層９０は、繰り返しの着脱において埃、指油などで汚染されて粘着力が低下した場合において、簡単に粘着力を回復することができる。また、半永久的に取り付ける場合には、所謂両面粘着・接着テープを用いることもできる。
【００２８】
一方、枠体６の上方には、蓋部材７の係止部７ｋに係止する形状の係止溝６ｋが形成されており、図２(ｂ)に図示のように矢印Ｄ１方向に蓋部材７を回動して係止状態に維持することで未使用状態にする一方で、係止を解除し蓋部材７を矢印Ｄ１方向とは逆方向に回動して使用状態にできるようにしている。
【００２９】
すなわち、図２(ｃ)と(ｄ)において、自己撮影用ミラー１を取付けた後に、閉位置となる未使用状態で撮影用レンズ部６０を蓋部材７で覆い、使用状態となる開位置で撮影用レンズ部６０を設けたカメラ前面２ａと平行な位置に移動されるので、撮影用レンズ部６０がカメラ前面２ａに設けられているデジタルカメラ２で撮影するときに、少なくとも自分自身が撮影画面内に入っていることを予め確認してから撮影できるようになる。このように、自己撮影用ミラー１は撮影用レンズ部６０を備えるカメラ前面２ａに着脱自在に設けられており、半永久的にその場に取り付けておくこともできる。この自己撮影用ミラー１は、図示のように撮影用レンズ部６０の近くに取りつけられることで、撮影用レンズ部６０による撮影画像と略同じ画像の一部を円形に映すことができるとともに、上下左右の方向性を気にせずに取り付けることができ、図示のように下方に移動する以外にも任意の角度方向に開閉できるようにしている。
【００３０】
この自己撮影用ミラー１は、略腕の長さでデジタルカメラ２を保持して撮影用レンズ部６０に向き合ったときに、顔から上半身付近までを映す直径２ｃｍ、望ましくは１ｃｍ前後の凸面鏡４として準備されるが、この凸面鏡４は所定強度を有する樹脂材料から一体射出成型された部品に、上記のようにスパッタリングで鏡面を形成することで品質が安定し、かつ低コストで量産できるようになる。
【００３１】
次に、図３(ａ)と(ｂ)は別実施形態の自己撮影用ミラー１０の外観斜視図、(ｃ)は自己撮影用ミラー１０をデジタルカメラ１に取り付けた使用状態を示す外観斜視図である。
【００３２】
本図において、既に説明済みの構成部品については同様の符号を附して説明を割愛すると、この自己撮影用ミラー１０は、撮影用レンズ部６０を設けたカメラ前面２ａとカメラ前面の裏面側のカメラ後面２ｂを所定の挟持力で挟持することで着脱自在に設けられるクリップ１１、１２の外面１１ａ上に、略腕の長さの距離で顔から上半身付近までを映す直径２ｃｍ以下の凸面鏡４を固定している。そして、クリップ１２の一方の挟持面において滑り止め防止部材１６を敷設している。このクリップはトーションバネ１３を互いの回動軸支部周りに設けており、軽い力で把持することで図３(ａ)の状態から(ｂ)に図示の状態に移動できる。その後にカメラ前面２ａとカメラ後面２ｂとの間で所定の挟持力で不動状態に保持されるように構成されている。また、ストラップ９９に通すことのできる穴部１１ｋも設けており、ストラップ９９に設けておき使用時のみ図３(ｃ)の状態にして使用できるようにしている。
【００３３】
以上の構成により、撮影用レンズ部６０がカメラ前面に設けられているデジタルカメラ２を用いて自分自身を撮影するときに、図示の位置に自己撮影用ミラー１０を固定することで、液晶表示部４０内に自分の顔乃至上半身が入る位置になる。次に、シャタッター５０を自分で操作して撮影する。すなわち、自分自身が自己撮影用ミラー１０の内部に正しく入っていれば取付位置の調整は不要となる。
【００３４】
以上のように腕を延ばしてカメラを保持した状態で、撮影画像と略同じ画像の一部を円形に自己撮影具１０に映すことで、正しい自己撮影を行うことができる。
【００３５】
以上のように撮影用レンズ部６０を自分側に向けた状態でデジタルカメラ２のシャッター５０を操作して撮影するときに確実に自分を撮影でき、さらに背後の仲間、風景や建物などとの構図を考えてバランス良く配置して撮影することもできる。
【００３６】
上記の銀塩フィルムカメラを用いて自分自身を撮影するために自己撮影用ミラー１０を使用する場合には、撮影用レンズ部付近の最適位置が決まるまで数回の自己撮影を行い現像焼付けをする作業が加わることになるが、初回に自己撮影用ミラー１０の取りつけ位置が決まれば、それ以降は問題なく自己撮影を行うことができる。
【図面の簡単な説明】
【００３７】
【図１】(ａ)はデジタルカメラ２をカメラ前面側から見た外観斜視図であり、(ｂ)はデジタルカメラ２をカメラ後面２ｂ側から見た図である。
【図２】(ａ)は本発明の一実施形態である自己撮影用ミラー１の外観斜視図、(ｂ)は自己撮影用ミラー１の一部を破断して示した右側面図、(ｃ)はデジタルカメラ２の外周面６０ｆに自己撮影用ミラー１を取り付けた後に使用状態にした様子を示した外観斜視図、(ｄ)は取り付けた後に未使用状態にした様子を示した外観斜視図である。
【図３】（ａ)と(ｂ)は別実施形態の自己撮影用ミラー１０の外観斜視図、(ｃ)は自己撮影用ミラー１０をデジタルカメラ１に取り付けた使用状態を示す外観斜視図である。
【符号の説明】
【００３８】
１  自己撮影用ミラー
２  デジタルカメラ
４  凸面鏡
６  枠体
７  蓋部材
１１、１２  クリップ
４０  液晶表示部
６０  撮影用レンズ部
【図１】
2005275080.tif 000003
【図２】
2005275080.tif 000004
【図３】
2005275080.tif 000005